(57)【要約】【課題】利用者によって差が生じても迅速に柔軟に対応でき、異なる状況も変化が生じる場合も複数個を同時使用しなければならない場合も対応でき、一度の配達で届け出完了したいとの要請にも答えられ、例えば箱形のメールボックスを組み合わせて形成され、現場で必要な複数個を縦横に組み合せて施工され、変更に多額の費用が必要となる不合理に対処でき、組み合わせを設置後に容易に変化出来るメールボックス・宅配ボックスを提供することを目的とする。【解決手段】横枠部材と縦枠部材により略方形体状をなす枠体を形成し、枠体中の横方向に間隔をあけ縦仕切り板を取り付け、同じ幅を有する縦長空間部を横方向に並列状態にして複数形成し、縦長空間部には縦方向に向け取り付け位置が自在とされた棚板が取り付けられると共に、棚板で仕切られた仕切り空間部には前側開口部の大きさに合わせた投入口及び扉が取り付けられたことを特徴とする。【選択図】          図１
2019165850.tif 000002
【特許請求の範囲】
【請求項１】
横枠部材と縦枠部材により略方形体状をなす枠体を形成し、形成した枠体中の横方向に間隔をあけて縦仕切り板を取り付け、同じ幅を有する縦長空間部を横方向に並列状態にして複数形成してなり、
前記縦長空間部には、縦方向に向けて取り付け位置が自在とされた棚板が取り付けられると共に、前記棚板で仕切られた仕切り空間部には、該仕切り空間部の前側開口部の大きさに合わせた投入口及び扉が取り付けられた、
ことを特徴とするメールボックス・宅配ボックス。
【請求項２】
前記棚板は、取り付け完了後、取り出し可能とされ、取り付け位置を変更して再度取り付け可能とした、
ことを特徴とする請求項１記載のメールボックス・宅配ボックス。
【請求項３】
前記仕切り空間部の前側開口部を塞ぐ投入口及び扉は左綴じ左開きあるいは右綴じ右開きのいずれの方向に開くよう形成可能とされた、
ことを特徴とする請求項１または請求項２記載のメールボックス・宅配ボックス。
【発明の詳細な説明】
【技術分野】
【０００１】
本発明は、オフィスビル、あるいはアパートマンションの集合型メールボックスにかかり、個々のメールボックスの大きさ、特に個々のメールボックスの高さが自在に変更できる機構を採用して、受け取るべき郵便物の容量をメールボックス設置後にあっても変更できるメールボックスに関するものである。
【０００２】
さらに、メールボックスの扉につき、郵便物を投入する投入口のない扉や投入口のある扉に変更可能とし、前記メールボックスの一部を投入口のない扉の宅配ボックスとしても用いることができ、メールボックスの使用にあって、顔より高い位置と腰より低い位置で使用されることはあまり見受けられないが、いわゆる宅配ボックスは、高い位置そして低い位置での使用でも支障がなく、従来メールボックス使用で、デッドスペースとなっていた上部と下部の空間を有効活用ができるものとなる。
【背景技術】
【０００３】
メールボックスの利用状況（利用量）を調べてみると、近年において、メールボックスを利用するそれぞれの利用者によって、大きな差が生じていることが判明した。
【０００４】
すなわち、ある利用者には、ほとんど郵便物が送付されない場合があり、ある利用者には、通常の量の郵便物が届く場合あり、また、ある利用者には、通常の量の例えば３倍ほどの郵便物が届く場合がある。それに加えて、近年では、前記の郵便物以外で特に受領印を必要としない宅配物が多くメールボックスに届く場合も見受けられる。
【０００５】
よって、オフィスビルのテナントを例に上げると、そのビルのテナントの職種や業務内容によって、メールボックスの利用状況が大きく違うことがわかる。
【０００６】
また、オフィスビルでは、入居者が頻繁に入れ替わり、それに伴いメールボックスの利用状況が大きく変化してしまっている。
【０００７】
さらに、郵便物の利用量の多いテナントにあっては、メールボックスの１個では足りず、２個あるいは３個を同時に使用しているテナントも見受けられる。
【０００８】
また、近年では、宅配の配達ロスに伴う社会的な労働時間損失が問題となる中、できるだけ一度の配達で、届け出完了とすることが要請されており、その解決策の１つとしても、宅配ボックスの出来るだけ多くの設置が求められている。
【０００９】
ここで、従来の集合型メールボックスにつき考察すると、従来の集合型メールボックスは、複数の部品を現場で組んで作製するものではなく、あらかじめ作製した例えば箱形をなす小型のメールボックスの１個、1個を施工現場で組み合わせて形成している。
【００１０】
つまり、それぞれメールボックスの１個１個が工場での完成製品であり、それらが現場で必要な複数個分、縦横に組み合せ、施工されているのである。
【００１１】
よって、郵便物の利用状況の変化に対応しようとすると、全体を施工し直さない限り、一部あるいは、複数の容量を変更することはできないのである。そして、当然、その変更には多額の費用が必要とされるものとなる。
【００１２】
また、マンション用としてメールボックスと宅配ボックスが一体となった集合型ボックスは存在するが、その利用者の使用状況の変化に応じて、メールボックスと宅配ボックスの組み合わせを、設置後に容易に変化させる製品は、存在しないのが実情である。
【先行技術文献】
【特許文献】
【００１３】
【特許文献１】特開２００１―３７６１６号公報
【発明の概要】
【発明が解決しようとする課題】
【００１４】
かくして、本発明は前記従来の課題を解決するために創案されたものであり、メールボックスの利用状況（利用量）が、メールボックスを利用するそれぞれの利用者によって、大きく差が生じても、前記の使用状況に迅速に対応でき、また受領印の必要としない宅配物が多くメールボックスに届く状況にも柔軟に対応でき、さらには、オフィスビルのテナントの場合、そのテナントの職種や業務内容によって、メールボックスの利用状況が大きく異なる状況になっても対応でき、オフィスビルで、入居者が度々替わり、メールボックスの利用状況にも大きな変化が生じる場合にも対応でき、郵便物の利用量の多いテナントにあっては、メールボックスの１個では足りず、２個あるいは３個を同時に使用しなければならない場合にも対応でき、また、宅配の配達ロスに伴う社会的労働時間損出が問題となる中において、できるだけ一度の配達で、届け出完了としたいとする要請にも答えることが出来、さらには、従来の集合型メールボックスの様に、複数の部品を現場で組んで完成するものではなく、すなわち、完成された例えば箱形をなすメールボックス１個、1個を組み合わせされて形成され、それぞれメールボックスの１個１個が工場での完成製品であって、それが現場で必要な複数個を縦横に組み合せて施工され、郵便物の利用状況の変化に対応しようとすると、全体を施工し直さない限り、一部あるいは、複数の容量を変更することはできず、その変更には多額の費用が必要となるとの不合理に対処でき、また、マンション用としてメールボックスと宅配ボックスが一体となった集合型ボックスにつき、その利用者の使用状況の変化に応じて、メールボックスと宅配ボックスの組み合わせを、設置後に容易に変化させることが出来るメールボックス・宅配ボックスを提供することを目的とするものである。
【課題を解決するための手段】
【００１５】
本発明のメールボックス・宅配ボックスは、
横枠部材と縦枠部材により略方形体状をなす枠体を形成し、形成した枠体中の横方向に間隔をあけて縦仕切り板を取り付け、同じ幅を有する縦長空間部を横方向に並列状態にして複数形成してなり、
前記縦長空間部には、縦方向に向けて取り付け位置が自在とされた棚板が取り付けられると共に、前記棚板で仕切られた仕切り空間部には、該仕切り空間部の前側開口部の大きさに合わせた投入口及び扉が取り付けられた、
ことを特徴とし、
または、
前記棚板は、取り付け完了後、取り出し可能とされ、取り付け位置を変更して再度取り付け可能とした、
ことを特徴とし、
または、
前記仕切り空間部の前側開口部を塞ぐ投入口及び扉は左綴じ左開きあるいは右綴じ右開きのいずれの方向に開くよう形成可能とされた、
ことを特徴とするものである。
【発明の効果】
【００１６】
本発明によるメールボックス・宅配ボックスであれば、メールボックスの利用状況（利用量）が、メールボックスを利用するそれぞれの利用者によって、大きく差が生じても、前記の使用状況に迅速に対応でき、また受領印の必要としない宅配物が多くメールボックスに届く状況にも柔軟に対応でき、さらには、オフィスビルのテナントの場合、そのテナントの職種や業務内容によって、メールボックスの利用状況が大きく異なる状況になっても対応でき、オフィスビルで、入居者が度々替わり、メールボックスの利用状況にも大きな変化が生じる場合にも対応でき、郵便物の利用量の多いテナントにあっては、メールボックスの１個では足りず、２個あるいは３個を同時に使用しなければならない場合にも対応でき、また、宅配の配達ロスに伴う社会的損失が問題となる中で、できるだけ一度の配達で、届け出完了としたいとする要請にも答えることが出来、さらには、従来の集合型メールボックスの様に、複数の部品を現場で組んで完成するものではなく、すなわち、完成された例えば箱形をなすメールボックス１個、1個を組み合わせされて形成され、それぞれメールボックスの１個１個が工場での完成製品であって、それが現場で必要な複数個を縦横に組み合せて施工され、郵便物の利用状況の変化に対応しようとすると、全体を施工し直さない限り、一部あるいは、複数の容量を変更することはできず、その変更には多額の費用が必要となるとの不合理に対処でき、また、マンション用としてメールボックスと宅配ボックスが一体となった集合型ボックスにつき、その利用者の使用状況の変化に応じて、メールボックスと宅配ボックスの組み合わせを、設置後に容易に変化させることが出来るとの優れた効果を奏する。
【図面の簡単な説明】
【００１７】
【図１】本発明の構成を説明する概略構成説明図である。
【図２】投入口と扉の取り付け状態を説明する説明図である。
【図３】投入口と大きさの異なる扉の構成を説明する説明図（１）である。
【図４】投入口と大きさの異なる扉の構成を説明する説明図（２）である。
【発明を実施するための形態】
【００１８】
以下、本発明を図に示す実施例に基づいて説明する。
【００１９】
符号１は、集合型メールボックス全体の基本的な枠組みとなる方形体状の枠体を示す。該方形体状の枠体１は、出来れば金属製の枠体１で構成する。例えばスチール製からなる横枠部材２と縦枠部材３とを利用してこれらを略方形体状に枠組みして構成する。
【００２０】
尚、この実施例では、直方体状に枠組みされているが、直方形体状に限定されるものではない。
【００２１】
図１から理解されるように、横枠部材２と縦枠部材３とは、例として金属製の板状部材で形成されており、これら横枠部材２と縦枠部材３は、例えば、横枠部材２と縦枠部材３との接続隅角部にねじ止めなどして接続し、略直方体状の枠体１に枠組みされるものとなる。そして略直方体状に枠組みされた縦側左右端の縦枠部材３、３の間には横方向に向かい所定の間隔をあけて縦方向に仕切る縦仕切り部材４が複数本取り取り付けられている。図１に示す実施例では３本取り付けられているが、この本数に限定されない。
【００２２】
しかして、前記左右端の縦枠部材３と上下端の横枠部材２と、その中の一定の間隔をあけて取り付けられた複数本の縦仕切り部材４とによって略直方体状に組み上げられて前記の枠体１内が仕切られると共に補強とされ、この構造によって全体の剛性が強固に担保されるものとなっている。
【００２３】
ここで、縦仕切り部材４で略直方体をなす枠体１の中に仕切りを設けたことにより、構成される各メールボックスの横幅は一定の幅となり、この各横幅については変化させることはできない。
【００２４】
しかしながら、縦側の幅、すなわち縦長空間部１２は、枠体１を枠組みした後においても、次いで枠体１を現場で施工し設置した後においても、可動式の棚板６を用いることにより自由に縦長空間部12を仕切って、大きさの異なる仕切り空間部を形成することが出来、メールボックス空間の大きさを変えられる構造としたのである。
【００２５】
図１から理解されるように、縦枠部材３には縦方向に向かい所定間隔をおいて複数個の取付タップ穴５があらかじめ穿設されている。また、縦仕切り部材４についても縦方向に向かい所定間隔をおいて複数個の取付タップ穴５があらかじめ穿設されている。これら複数の取付タップ穴５は、前記の縦長空間部１２内において棚板６を取り付けるための穴であり、この取付タップ穴５に取付具７を取り付け、該取付具7を介して棚板６を縦長空間部１２内に固定できるものとしている。
【００２６】
前述のように取付タップ穴５は、あらかじめ縦方向に向かい所定間隔をおいて複数設けられている。よって、縦方向に並ぶいずれかの位置にある取付タップ穴５を選択することによって前記棚板６の取付位置を縦方向に自在に変更することが出来、もってメールボックス内の容量（大きさ）を異ならせることが出来る構造としている。
【００２７】
次に、符号８は、例えばステンレス製からなる板を方形体状に組み立てて構成した内箱を示す。該内箱８は、前側の面のみ開口され、それ以外の面、すなわち、両側面、上下面、後面はそれぞれ平面状の覆板９で構成してある。そして、両側面を覆う覆板９には、前記縦枠部材３や縦仕切り部材４に設けられた取付タップ穴５と対応する箇所に取付穴１１が設けられている。
【００２８】
よって、前記内箱８を枠体１の縦長空間部１２内に挿入すると、双方に設けられた取付タップ穴５と取付穴１１が一致し、一致した取付タップ穴５及び取付穴１１を用いて取付具７を取り付ければ、内箱８の枠体１及び縦長空間部１２への固定と棚板６の取り付けが同時に行えるものとなる。該内箱８を縦長空間部１２内に挿入することにより、前記縦長空間部１２の側面や上下面を覆うことが出来、これにより次は、棚板６を配置することにより容易にメールボックスや宅配ボックスの空間を形成出来ることとなる。
【００２９】
尚、内箱８であるが、あらかじめ方形体状をなす箱状に形成していなくても構わない。縦長空間部１２の両側面を覆う覆板９、上下面を覆う覆板９、後面を覆う覆板９、底面を覆う覆板９の板にそれぞれ分割し、それらを各々縦長空間部１２内に取り付けて、その内面を覆うよう構成しても構わないのである。
【００３０】
なお、図１において、棚板６につき縦長空間部１２内において、その設置位置を変更する方法として取付タップ穴５を設けた例を説明したが、棚板６の設置位置変更には取付タップ穴５を穿設し、これを利用する場合に限定されない。例えば縦枠部材３や縦仕切り部材４の縦方向に直線状をなすレール溝を設け、該レール溝に遊嵌する突条を棚板６の端部に設け、棚板６に設けた突条を前記レール溝の任意の位置で固定すれば、取付タップ穴５で設置位置を変更する場合に比較して無段階位置で設置できることになる。また、レール溝を棚板６に、突条を縦枠部材３や縦仕切り部材４の縦方向に直線状に設けても構わない。
【００３１】
次に、図２に投入口ユニット１０を示す。該投入口ユニット１０は、中央に横長長方形状の投入口用開口１３を有し、この投入口用開口１３を囲むように周囲枠１４が取り付けられて構成されている。そして該投入口ユニット１０は図２に図示するように扉ユニット１５と接続され、平面状をなす投入口つき扉が構成される。ここで、投入口ユニット１０と扉ユニット１５とは接続具１６によって接続され、平面状の投入口つき扉が構成される。
【００３２】
この接続方法については、何ら限定されないが、一実施例を図２に示す。図２では右綴じ右開き扉として投入口つき扉を構成したものである。
【００３３】
そして、接続具１６としては、扉受け金具１７と扉吊り元金具１８が使用される。図２の投入口つき扉は右綴じ右開き扉であるので、扉受け金具１７は、投入口ユニット１０と扉ユニット１５の左端部に取り付けられ、投入口ユニット１０と扉ユニット１５とを接続する。また、扉吊元金具１８は、投入口ユニット１０と扉ユニット１５の右端部に取り付けられる。さらに、回動連結具１９が扉ユニット１５の右端部側と縦仕切り部材４あるいは縦枠部材３との間に取り付けられ、この投入口つき扉は右綴じ右開き扉として構成される。
【００３４】
図２において回動連結具１９は２個しか示されてはいないが、扉ユニット１５の大きさによって縦方向に２個以上取り付けられるものとなる。
【００３５】
また、接続具１６についても、扉ユニット１５が大きい場合には、投入口ユニット１０と扉ユニット１５との連結強度を確保するため、縦方向に長さを長くした接続具１６を使用する。
【００３６】
ここで、図３及び図４に投入口ユニット１０と扉ユニット１５を接続して投入口つき扉、すなわちポスト使用にした各具体例と、扉ユニット１５のみを使用して宅配使用にした各具体例を示す。
【００３７】
図１に示す枠体１の高さを１８００ｍｍにした場合であると、例えば、投入口つき扉や扉のみの宅配用扉にした場合の縦方向長さは、１５０ｍｍ、３００ｍｍ、３００ｍｍ、４５０ｍｍ、６００ｍｍのもので形成される。従って、縦方向の長さが１８００ｍｍの縦長空間部１２内に１５０ｍｍの投入口つき扉のメールボックスを設置する場合には、縦方向に１２個設置できる。また、縦長空間部１２内において上側方向に１５０ｍｍの投入口つき扉のメールボックスを４個設置し、下側は宅配ボックスにしたい場合は、高さが６００ｍｍの宅配用扉を２個設置することが出来るのである。
【００３８】
この様に各サイズの扉ユニット１５を用意しておけば、顧客の詳細な要望にも充分に対応できるものとなる。
【００３９】
しかも、前述した様に各メールボックスや宅配ボックスの容量の変更、すなわち大きさの変更は、メールボックス本体（枠体１）を施工した後であっても、あるいはメールボックスを使用している途中であっても容易に変更することが出来るのである。
【００４０】
利用者の郵便物の扱い容量に応じて棚板６の設置位置を決め、あるいは棚板６の設置位置を変化させることが出来るのである。
【００４１】
また、扉は、その高さ、すなわち棚板６で仕切られた仕切り空間部の高さのものの設置となるが、扉だけの施工は、取り付けも取り外しもきわめて容易である。
【００４２】
また、単に利用量を増やす場合は、上下のメールボックスの間の棚板６を外すことにより、大きな扉を設置し直す必要もなく、利用者の要望に応えることもできる。
【００４３】
そして、例えば使用することのないメールボックスを投入口のない扉に換える、またはそれに加えて、大型の宅配物受け取り用に、複数のメールボックスを１つにするなど、安価なコストでメールボックスのレイアウト変更がきわめて容易に行うことが出来る。
【符号の説明】
【００４４】
１    枠体
２    横枠部材
３    縦枠部材
４    縦仕切り部材
５    取付タップ穴
６    棚板
７    取付具
８    内箱
９    覆板
１０  投入口ユニット
１１  取付穴
１２  縦長空間部
１３  投入口用開口
１４  周囲枠
１５  扉ユニット
１６  接続部
１７  扉受け金具
１８  扉吊り元金具
１９  回動連結具
【図１】
2019165850.tif 000003
【図２】
2019165850.tif 000004
【図３】
2019165850.tif 000005
【図４】
2019165850.tif 000006